(57)【要約】【課題】フェーダに割り当てられたパラメータを音量レベルとセンドレベルとで入れ替えるフリップ機能を有するミキシング装置において、操作者の意図に沿ったパラメータ割り当て状態を実現する。【解決手段】フリップ機能がオンのとき、フェーダに割り当てられたパラメータを音量レベルとセンドレベルとで入れ替えることを必須動作として上で、エンコーダモードがミックスセンドモードの場合には、各エンコーダに音量レベルを割り当て、また、エンコーダモードがパンモードの場合には、選択中のミックスｃｈがペアに組まれていれば各エンコーダには該ミックスｃｈへのパンを割り当て、該ミックスｃｈがペアに組まれていなければ各エンコーダには何れのパラメータも割り当てず、また、エンコーダモードがアッテネータモードの場合には、各エンコーダのパラメータはアッテネータのまま変更しない。【選択図】図４
2008219817.tif 000002
【特許請求の範囲】
【請求項１】
複数チャンネルごとに信号処理したオーディオ信号をバスに出力し、該バスにおいて複数のオーディオ信号を混合するミキシング装置であって、
１つのチャンネルのオ−ディオ信号の音量レベルが割り当てられた第１の操作子と、
１つのチャンネルのオーディオ信号を前記バスに出力するときのセンドレベルを含む複数種類のパラメータのうちの１つを選択的に割り当て可能な第２の操作子と、
前記第２の操作子に割り当てるパラメータとして、前記センドレベルを含む複数種類のパラメータのうちの１つを選択する選択手段と、
前記第１の操作子に割り当てられたパラメータを音量レベルからセンドレベルへ入れ替える指示を行う入れ替え指示手段と、
前記入れ替え指示手段によって入れ替え指示が行われたときに、前記第１の操作子に割り当てられたパラメータを音量レベルからセンドレベルへ入れ替える制御を行い、更に、前記選択手段により選択されているパラメータがセンドレベルである場合には、前記第２の操作子に割り当てられたパラメータをセンドレベルから音量レベルへ入れ替える制御を行い、また、前記選択手段により選択されているパラメータがセンドレベル以外である場合には、該選択手段により選択されているものと同じパラメータ又は類似したパラメータを前記第２の操作子に割り当てる制御を行うパラメータ割り当て制御手段と
を具えることを特徴とするミキシング装置。
【請求項２】
前記選択手段は、前記第２の操作子に割り当てるパラメータとして、前記センドレベル、１つのチャンネルのオーディオ信号を２本のバスへ分配して出力するときのパン又は１つのチャンネルに入力されたオーディオ信号を減衰させるアッテネータのうちの１つを選択する選択手段であって、
前記パラメータ割り当て制御手段は、更に、
前記選択手段により選択されているパラメータがパンである場合、前記１つのチャンネルのオーディオ信号の出力先のバスが２本１組のペアに設定されているならば、前記第２の操作子に該出力先のバスに対応するパンを割り当てる制御を行い、また、該出力先のバスが２本１組のペアに設定されていないならば、該第２の操作子に何れのパラメータも割り当てない制御を行う手段と、
前記選択手段により選択されているパラメータがアッテネータである場合、前記第２の操作子に割り当てるパラメータをアッテネータのまま変更しない制御を行う手段を含むことを特徴とする請求項１に記載のミキシング装置。
【請求項３】
前記入れ替え指示手段は、前記入れ替え指示を解除する入れ替え解除指示を行う手段を更に備え、
前記パラメータ割り当て制御手段は、前記入れ替え解除指示に応じて、前記第１の操作子に割り当てられたパラメータをセンドレベルから音量レベルへ戻す制御を行うと共に、前記第２の操作子に対して前記選択手段で選択されているパラメータを割り当てる制御を行う手段を更に具えることを特徴とする請求項１又は２に記載のミキシング装置。
【請求項４】
前記第１の操作子はつまみ部をスライド操作するフェーダによって構成され、前記第２の操作子はつまみ部を回転操作するエンコーダによって構成されることを特徴とする請求項１乃至３の何れかに記載のミキシング装置。
【発明の詳細な説明】
【技術分野】
【０００１】
この発明は、複数チャンネル分のディジタルオーディオ信号をミキシング処理するミキシング装置に関し、詳しくは、操作パネルへのパラメータ割り当て制御に関する。
【背景技術】
【０００２】
オーディオミキサ（ミキシング装置）は、複数チャンネル分のオーディオ信号に対して、ミキシング処理や効果付与処理などの信号処理を行う装置である。近年では、内部的な信号処理をディジタル処理で行うディジタルオーディオミキサが普及している。ディジタルミキサには、操作子群や表示器等が配置された操作パネルが備えられており、操作者（操作子）は該操作パネルにおいて信号処理のパラメータ設定等の各種操作を行うことができた。従来から知られるディジタルオーディオミキサには、例えば、下記非特許文献１に記載された本出願人が販売するディジタルオーディオミキサ（「商品名ＰＭ５Ｄ」）がある。
【０００３】
前記非特許文献１に記載のミキサの操作パネル上には、複数の入力チャンネル（以下「入力ｃｈ」と記す）毎のパラメータを調整する操作子群がまとめて配置されたインプットセクションがある。該インプットセクショに配置された操作子群には各入力ｃｈ毎のフェーダやエンコーダが含まれる。フェーダは、つまみ部をスライド操作する操作子であって、主に、当該入力ｃｈに入力されたオーディオ信号の音量レベルを調整するために用いる。また、エンコーダは、つまみ部を回転操作する操作子であって、制御対象のパラメータ種類を任意に切り替えることができ、主には、当該入力ｃｈから後段のミックスチャンネル（以下「ミックスｃｈ」と記す」）へ出力する信号のセンドレベルを調整するために用いる。
【０００４】
また、前記セクションの１つであるエンコーダモードセクションには、前記エンコーダの制御対象のパラメータ種類を選択するための操作子群として、センドレベルを選択するミックスセンドセレクトキー、パンを選択するパンキー及びアッテネータを選択するアッテネータキー、更に、後述するフリップキーが配置されている。
【０００５】
ミックスセンドセレクトキーは、複数のミックスｃｈの各々に１対１で対応する複数個設けられており、いずれか１つのミックスセンドセレクトキーが押されると、該押されたキーに対応するミックスｃｈへオーディオ信号を送出するときのセンドレベルが各入力ｃｈのエンコーダに割り当てられる。これにより、各エンコーダでは、当該入力ｃｈから前記押されたキーに対応するミックスｃｈへオーディオ信号を送出するときのセンドレベルを調整することができる。また、パンキーとアッテネータキーは、それぞれ、エンコーダモードセクションに１つずつ設けられており、パンキーが押されると、各エンコーダには当該入力ｃｈからステレオチャンネルへオーディオ信号を出力するときのパンが割り当てられる。アッテネータキーが押されると、各エンコーダには当該入力ｃｈのアッテネータが割り当てられる。
【０００６】
フリップキーは、インプットチャンネルセクションのフェーダに割り当てられたパラメータとエンコーダに割り当てられたパラメータを入れ替える「フリップ機能」のオン・オフを切り替える操作子である。
【０００７】
エンコーダにセンドレベルが割り当てられている状態で、フリップ機能がオンに設定されると、入力ｃｈ毎のフェーダに当該入力ｃｈのセンドレベルを割り当てて、入力ｃｈ毎のエンコーダに当該入力ｃｈの音量レベルを割り当てる動作が行われる。これに対して、エンコーダにセンドレベル以外のパラメータ（パン又はアッテネータ）が割り当てられている状態で、フリップ機能がオンに設定されると、該エンコーダに割り当てるパラメータをセンドレベルに自動的に切り替えた後に、フェーダに割り当てられているパラメータとエンコーダに割り当てられているパラメータを入れ替える。すなわち、結果的には、入力ｃｈ毎のフェーダに当該入力ｃｈのセンドレベルを割り当てて、入力ｃｈ毎のエンコーダに当該入力ｃｈの音量レベルを割り当てることになる。従って、センドレベル以外のパラメータ（パンやアッテネータ）がフェーダに割り当てられることはない。
【０００８】
また、フリップ機能を有する別のミキサとしては、本出願人が販売するディジタルオーディオミキサ（「商品名ＰＭ１Ｄ」）があった。このミキサ「商品名ＰＭ１Ｄ」の操作パネル（「商品名ＣＳ１Ｄ」）上には、各入力ｃｈ毎に、センドレベルを調整するエンコーダ、パンを調整するエンコーダ及びアッテネータを調整するエンコーダの３つのエンコーダが具備されており、１つのエンコーダに対するパラメータ割り当ては固定されていた。この場合、フリップ機能は、センドレベルを調整するエンコーダのパラータとフェーダのパラメータを入れ替えることで、入力ｃｈ毎のフェーダに当該入力ｃｈのセンドレベルを割り当てて、入力ｃｈ毎のエンコーダに当該入力ｃｈの音量レベルを割り当てていた。
【０００９】
上記の通り、従来から知られるミキサ（「商品名ＰＭ５Ｄ」と「商品名ＰＭ１Ｄ」）において、フリップキーの操作に応じて入れ替わるパラメータは、常に、センドレベルと音量レベルであった。というのも、フリップ機能は、そもそも、フェーダを使ってセンドレベルを調整できるようにすることを目的とする機能だからである。フェーダは、周知の通り、つまみ部をスライド移動させることでパラメータを調整するタイプの操作子であって、各フェーダのつまみの操作位置により各チャンネル毎の設定値の大きさや複数のチャンネル間での設定値のバランスなどを、操作子に一目で理解させることができる点で操作性に優れている。従って、操作性に優れたフェーダを用いてセンドレベルを調整できるよう「フリップ機能」が用意されているのである。
【００１０】
前記ミキサ「商品名ＰＭ５Ｄ」においては、既に述べた通り、１つの入力ｃｈにエンコーダを１つだけ具備し、該１つのエンコーダに割り当てるパラメータ種類を切り替え可能な構成が採用されている。これにより、該複数種のパラメータ毎の複数のエンコーダを各入力ｃｈに設けた別のミキサ「商品名ＰＭ１Ｄ」に比べて、操作パネル上の操作子点数が減少するので、ミキサ筐体（操作パネル）の縮小化並びにコスト削減を実現することができ、とても有益であった。かかるミキサ「商品名ＰＭ５Ｄ」に搭載されたフリップ機能が、上記の通り、エンコーダにセンドレベル以外のパラメータ（パン又はアッテネータ）について実質的に利用できないこと、つまり、該エンコーダに割り当てるパラメータをセンドレベルに自動的に切り替えた後に、フェーダに割り当てられているパラメータとエンコーダに割り当てられているパラメータを入れ替える動作を行うことは、フェーダを用いてセンドレベルを調整できるようにするという前記フリップ機能の目的を達成するための工夫であった。このように、現時点でエンコーダに割り当てられているパラメータの種類に関わらず、フェーダにセンドレベルを割り当てて、エンコーダに音量レベルを割り当てること自体は、フェーダを使ってセンドレベルを調整できるようにするというフリップ機能のそもそもの目的に適った発想である。
【００１１】
ところで、操作者は、パンやアッテネータを調整したいからこそ、これらパラメータをエンコーダに割り当てるのである。すなわち、エンコーダにパンやアッテネータが割り当てられているときに、フリップキーを押すということは、エンコーダではパンやアッテネータを調整しつつ、フェーダを使ってセンドレベルを調整したいという要求の表出に他ならぬ。
【００１２】
しかしながら、上記従来のミキサ「商品名ＰＭ５Ｄ」、つまり、１つのエンコーダに複数種のパラメータを選択的に割り当てる構成を採用したミキサにおいては、エンコーダにセンドレベル以外のパラメータ（パンやアッテネータ）が割り当てられているときにフリップ機能がオンに設定されると、フェーダにセンドレベルが割り当てられると共に、エンコーダに音量レベルが割り当てられてしまっていたので、フェーダにセンドレベルを割り当てた状態で、エンコーダにパンやアッテネータを割り当てることはできなかった。また、元々はパン又はアッテネータをエンコーダに割り当てていたにも関わらず、エンコーダに割り当てるパラメータをセンドレベルに強制的に変更することから、操作パネル上に呼び出されたパラメータ種類が操作者の意図と必ずしも一致しないという事態が生じてしまい、パラメータの誤操作を惹き起こす恐れがあった。
【非特許文献１】http://www2.yamaha.co.jp/manual/pdf/pa/japan/mixers/PM5DJ1.pdf
【非特許文献２】http://www2.yamaha.co.jp/manual/pdf/pa/japan/mixers/CS1DJ.pdf
【発明の開示】
【発明が解決しようとする課題】
【００１３】
この発明は、上述の点に鑑みてなされたもので、各フェーダに割り当てられたパラメータを音量レベルとセンドレベルとで入れ替えるフリップ機能を有するミキシング装置において、操作者の意図に沿ったパラメータ割り当て状態を実現することができるミキシング装置を提供することを目的とする。
【課題を解決するための手段】
【００１４】
この発明は、複数チャンネルごとに信号処理したオーディオ信号をバスに出力し、該バスにおいて複数のオーディオ信号を混合するミキシング装置であって、１つのチャンネルのオ−ディオ信号の音量レベルが割り当てられた第１の操作子と、１つのチャンネルのオーディオ信号を前記バスに出力するときのセンドレベルを含む複数種類のパラメータのうちの１つを選択的に割り当て可能な第２の操作子と、前記第２の操作子に割り当てるパラメータとして、前記センドレベルを含む複数種類のパラメータのうちの１つを選択する選択手段と、前記第１の操作子に割り当てられたパラメータを音量レベルからセンドレベルへ入れ替える指示を行う入れ替え指示手段と、前記入れ替え指示手段によって入れ替え指示が行われたときに、前記第１の操作子に割り当てられたパラメータを音量レベルからセンドレベルへ入れ替える制御を行い、更に、前記選択手段により選択されているパラメータがセンドレベルである場合には、前記第２の操作子に割り当てられたパラメータをセンドレベルから音量レベルへ入れ替える制御を行い、また、前記選択手段により選択されているパラメータがセンドレベル以外である場合には、該選択手段により選択されているものと同じパラメータ又は類似したパラメータを前記第２の操作子に割り当てる制御を行うパラメータ割り当て制御手段とを具えることを特徴とするミキシング装置である。
【００１５】
この発明に係るミキサは、上記のパラメータ割り当て制御手段を具えているので、入れ替え指示手段により入れ替え指示が行われときに、第１の操作子に割り当てられたパラメータを音量レベルからセンドレベルへ入れ替える制御を行い、更に、選択手段により選択されているパラメータがセンドレベルである場合には、第２の操作子に割り当てられたパラメータをセンドレベルから音量レベルへ入れ替える制御を行い、また、選択手段により選択されているパラメータがセンドレベル以外である場合には、該選択手段により選択されているものと同じパラメータ又は類似したパラメータを第２の操作子に割り当てる制御を行う。
【００１６】
また、この発明に係るミキシング装置において、前記選択手段は、第２の操作子に割り当てるパラメータとして、センドレベル、１つのチャンネルのオーディオ信号を２本のバスへ分配して出力するときのパン又は１つのチャンネルに入力されたオーディオ信号を減衰させるアッテネータのうちの１つを選択する選択手段であって、前記パラメータ割り当て制御手段は、更に、該選択手段により選択されているパラメータがパンである場合、前記１つのチャンネルのオーディオ信号の出力先のバスが２本１組のペアに設定されているならば、第２の操作子に該出力先のバスに対応するパンを割り当てる制御を行い、また、該出力先のバスが２本１組のペアに設定されていないならば、第２の操作子に何れのパラメータも割り当てない制御を行う手段と、前記選択手段により選択されているパラメータがアッテネータである場合、第２の操作子に割り当てるパラメータをアッテネータのまま変更しない制御を行う手段を含む。これにより、第２の操作子にパンが割り当てられているときに、入れ替え指示が行われると、第１の操作子に割り当てられたパラメータを音量レベルからセンドレベルへ入れ替えると共に、出力先のバスが２本１組のペアに設定されている場合には、該第２の操作子に該出力先のバスに対応するパンを割り当て、該出力先のバスが２本１組のペアに設定されていない場合には、第２の操作子に何れのパラメタも割り当てないでおくことができる。また、第２の操作子にアッテネータが割り当てられているときに、入れ替え指示が行われると、第１の操作子に割り当てられたパラメータを音量レベルからセンドレベルへ入れ替えると共に、該第２の操作子に割り当てるパラメータはアッテネータのまま変更しないでおくことができる。
【発明の効果】
【００１７】
この発明に係るミキシング装置によれば、入れ替え指示手段により入れ替える指示が行われたときに、第１の操作子に割り当てられたパラメータを音量レベルからセンドレベルへ入れ替えることを必須動作として上で、選択手段の選択状態を考慮したパラメータ割り当て制御が行われるので、操作者の意図に沿ったパラメータ割り当て状態を実現することができ、操作性が向上するという優れた効果を奏する。従来の技術と具体的に対比させると、第２の操作子（エンコーダ）にセンドレベル以外のパラメータ（パンやアッテネータ）が割り当てられている場合に、前記入れ替え指示（つまりフリップ機能のオン）が行われると、従来は、第２の操作子（エンコーダ）には常に音量レベルが割り当てられていた。これに対して、この発明によれば、入れ替え指示（つまりフリップ機能のオン）が行われたときに、第２の操作子にセンドレベルが割り当てられている場合には、該第２の操作子には音量レベルが割り当てられ、また、第２の操作子にセンドレベル以外のパラメータ（パンやアッテネータ）が割り当てられている場合には、選択手段により選択されているものと同じパラメータ又は類似したパラメータが該第２の操作子に割り当てられる。ここで、前記「同じパラメータ又は類似したパラメータ」は、例えば、パンやアッテネータ又はそれらに類似したパラメータである。「類似したパラメータ」は、例えば、ステレオバスへのパンに対するミックスバスへのパンなど、である。このように、選択手段によりセンドレベル以外のパラメータが選択されている場合には、従来の技術とは異なり第２の操作子には少なくとも音量レベル以外のパラメータが割り当てられるため、操作者の意図に沿ったパラメータ割り当て状態を実現することができる。従って、入れ替え指示により第１の操作子に割り当てられたパラメータを音量レベルからセンドレベルへ入れ替えたときにも、操作者は第１及び第２の操作子に現在割り当てられているパラメータを理解しやすくなる。従って、パラメータ誤操作等も起こりにくくなるであろう。
【発明を実施するための最良の形態】
【００１８】
以下、この発明の一実施例について図面を参照して詳細に説明する。
【００１９】
図１はこの発明の一実施例に係るディジタルオーディオミキサの電気的ハードウェア構成例を示すブロック図である。図１に示す通り、ミキサ１００は、ＣＰＵ１、フラッシュメモリ２、ＲＡＭ３、波形入出力インターフェース（波形Ｉ／Ｏ）４、信号処理部５、レコーダ６、表示器７、電動フェーダ８及び操作子９を含み、各部がバス１Ｂを介して接続される。また、ミキサ１００は、その他Ｉ／Ｏ１０を介して当該ミキサ１００をリモート制御するＰＣなど、その他適宜の外部機器と接続することができてよい。
【００２０】
ＣＰＵ１は、フラッシュメモリ２又はＲＡＭ３に記憶された制御プログラムを実行し、当該ミキサ１００の全体的な動作を制御する。ＣＰＵ１が実行する動作には、後述するパラメータ割り当て変更処理が含まれる。また、フラッシュメモリ２には、ミキシング処理や効果付与処理等の信号処理部５における信号処理に用いる各種パラメータの現在の設定値を記憶するカレントバッファが設けられている。
【００２１】
ミキサ１００と外部音響機器との間でのオーディオ信号の入出力は波形Ｉ／Ｏ４を介して行われる。波形Ｉ／Ｏ４は、ＡＤ変換器を含むアナログ入力ポート、ＤＡ変換器を含むアナログ出力ポート及びディジタル入出力ポートを含む。信号処理部５は、ＤＳＰにより構成され、ディジタルオーディオ信号のミキシングや効果付与処理等の信号処理を行う。レコーダ６にはディジタルオーディオ信号を記録することができる。波形Ｉ／Ｏ４、信号処理部５及びレコーダ６の間ではディジタルオーディオ信号を通信することができる。
【００２２】
ミキサ１００の操作パネル上には、例えば液晶表示ディスプレイにより構成される表示器７や、複数のチャンネルストリップ毎に設けられた電動フェーダ８や、その他多数のエンコーダやスイッチ類（操作子９）が具備されている。表示器７は、各種動作モードに応じた各種制御画面を表示する。表示器７に表示される該各種制御画面上には、各種操作を操作者から受け付けるＧＵＩ部品（操作子画像など）が含まれる。操作者は、表示器７に表示された各種ＧＵＩ部品や、電動フェーダ８乃至操作子９を用いて、ミキシング処理の各種パラメータの設定値を調整したり、ミキサ１００の動作モードの設定値を切り替えたりすることができる。また、電動フェーダ８にはモータが内蔵されており、つまみ部の操作位置が自動制御されうる。
【００２３】
図２は、操作パネルの構成の説明するためのブロック図である。操作パネル上には、機能単位で操作子群等の部品をまとめたセクションが複数あり、複数の操作子が該セクション毎に区切って配置されている。インプットセクション１１は、入力ｃｈの主なパラメータを調整するための操作子群をまとめたセクションである。インプットセクション１１には、複数本のチャンネルストリップが設けられている。１つのチャンネルストリップに１つの入力ｃｈが割り当てられ、各々に割り当てられた入力ｃｈのチャンネル番号順に並んで複数のチャンネルストリップは配置されている。該インプットセクション１１の各チャンネルストリップにはフェーダ（図１の電動フェーダ８）やエンコーダ等の操作子群が設けられている。フェーダは、主に、当該チャンネルストリップに割り当てられた入力ｃｈに入力されたオーディオ信号の音量レベルを調整する操作子であって、つまみ部をスライド移動させることでパラメータの設定値を調整することができる。フェーダは、特許請求範囲に記載の「第１の操作子」に相当する。また、エンコーダは、つまみ部を回転操作することで設定値を調整する操作子である。エンコーダには、予め定められた複数種類のパラメータのうちの１つを選択的に割り当てることができる。エンコーダは、特許請求範囲に記載の「第２の操作子」に相当する。
【００２４】
エンコーダモードセクション１２には、インプットセクション１１のエンコーダに割り当てるパラメータ種類を選択するためのスイッチ群がまとめられている。エンコーダモードセクション１２に配置されたスイッチ群には、前記エンコーダに割り当てるパラメータとしてセンドレベルを選択するミックスセンドセレクトキー、同パラメータとしてパンを選択するパンキー、同パラメータとしてアッテネータを選択するアッテネータキー、及び、「フリップ機能」のオン・オフを切り替えるフリップキーがある。
【００２５】
ミックスセンドセレクトキーは複数のミックスｃｈの各々に対応して複数個設けられている。いずれか１つのミックスセンドセレクトキーが押されると、各入力ｃｈ（各チャンネルストリップ）のエンコーダには、当該エンコーダに対応する入力ｃｈから該押されたミックスセンドセレクトキーに対応するミックスｃｈへオーディオ信号を出力するときのセンドレベルが割り当てられる。また、エンコーダモードセクション１２において、パンキー、アッテネータキー及びフリップキーはそれぞれ１つずつ設けられている。パンキーが押されると、各エンコーダには当該入力ｃｈのオーディオ信号を２本のバスに分配して出力するときのパンが割り当てられる。アッテネータキーが押されると、各エンコーダには当該入力ｃｈに入力されたオーディオ信号を減衰させるアッテネータが割り当てられる。
【００２６】
これらミックスセンドセレクトキー、パンキー又はアッテネータキーは、エンコーダに割り当てる１つのパラメータ種類を排他的に選択する操作子であって、特許請求範囲に記載の「選択手段」に相当する。これらミックスセンドセレクトキー、パンキー又はアッテネータキーの選択状態を表す情報は「エンコーダモード」設定値としてカレントバッファに格納される。この明細書ではセンドレベルを表すエンコーダモードの設定値を「ミックスセンドモード」、パンを表すものを「パンモード」及びアッテネータを表すものを「アッテネータモード」と称する。また、ミックスセンドセレクトキーにより現在選択されているミックスｃｈのチャンネル番号は、「ミックスセンドセレクトの設定値」としてカレントバッファに格納される。
【００２７】
フリップキーは、操作者による操作に応じて、詳しくは後述する「フリップ機能」の設定値をオンからオフへ、又は、オフからオンのへ切り替えるスイッチである。このフリップキーが特許請求範囲の「入れ替え指示手段」に相当する。フリップ機能の設定値（オン又はオフ）はカレントバッファに格納される。
【００２８】
なお、操作パネル上には、上記のほかにも、表示器（ＬＣＤ）７や該表示器７に表示される各種画面上に表示される各種ＧＵＩ部品を操作するための操作子を集めたカーソルセクションなど、その他の幾つかのセクションがある。
【００２９】
図３は、信号処理部５が実行するミキシング処理のアルゴリズムの構成例を示すブロック図である。図３において、複数の入力ポート（複数のアナログ入力３０及び複数のディジタル入力３１）の各々は１チャンネル分のオーディオ信号を取り込む。アナログ入力３０は、アナログオーディオ信号を取り込み、該取り込んだ信号をディジタルオーディオ信号に変換する。ディジタル入力３１にはディジタルオーディオ信号が入力される。これら複数の入力ポート３０，３１は図１に示す波形Ｉ／Ｏ４に相当する。入力パッチ３２は、複数の入力ポート３０，３１のそれぞれを、後段の複数の入力ｃｈ（図の例でチャンネル番号１ｃｈ〜３２ｃｈの３２本）３３のいずれかへ選択的に接続する。なお、オーディオ信号の入出力ポートと信号処理チャンネルを接続することを本明細書では「パッチ」という。すなわち、入力パッチ３２は１つの入力ｃｈ３３に対して１つの入力ポート３０又は３１をパッチする。
【００３０】
入力ｃｈ３３は、アッテネータ３４、コンプレッサ、イコライザ、音量レベル（フェーダ）、パン３５、ミックスバスへの信号出力オン・オフ、センドレベル調整部３６などのパラメータを具備しており、入力されたオーディオ信号に対して各チャンネル毎のパラメータ設定に基づき、音量レベル制御などを含む各種信号処理を施す。なお、アッテネータ３４は当該入力ｃｈ３３に入力されたオーディオ信号を信号処理の前段で減衰するパラメータである。操作者は、必要に応じて、該アッテネータ３４により、信号処理の前段でオーディオ信号の音量レベルを調整（減衰）する。
【００３１】
各入力ｃｈ３３には、後段の複数のミックスバス３７（図３ではバス番号１〜１６の１６本）及びステレオバス３８（図３ではステレオバスＬとステレオバスＲの２本）の各々に１対１で対応して、前記信号処理されたオーディオ信号の信号経路が複数系統設けられている。各ミックスバス３７に対応する信号経路には、センドレベル調整部３６が設けられている。各センドレベル調整部３６は、当該入力ｃｈ３３から対応するミックスバス３７へオーディオ信号を送出するときのセンドレベルを調整する。なお、ステレオバス３８に接続される信号経路にはセンドレベル調整部３６が設けられていないことに留意されたい。
【００３２】
パン３５には、当該入力ｃｈのオーディオ信号を２本のステレオバス３８（ステレオバスＬとステレオバスＲ）へ分配して出力するときのパン（バスＬ及びバスＲに入力する信号の音量比率）を調整するパンと、当該入力ｃｈのオーディオ信号を、２本１組のペアに設定された２本のミックスバス３７へ分配して出力するときの音量レベル（ペアに設定された両バスの間の音量比率）を調整するパンとの２種類がある。図３において該２種類のバスを区別するために、ミックスバスへのパンには符号３５´を付与している。
【００３３】
なお、ペアに設定可能なミックスバス３７の組み合わせは、バス番号が隣接する２つのバスの組み合わせに予め規定されている。操作者は、或るミックスバス３７とそれに隣接するミックスバス３７とをペアに組むかどうか（ペア設定のオンオフ）を設定できる。例えば、ミックスバス１とミックスバス２はペアに組むことができる。この２つのミックスバス１及び２をペアに組んだときには、ミックスバス１に対応するセンドレベル調整部３６の出力をパン３５´を介して該ミックスバス１及び２に分配する。図３において符号４４は、ミックスバス１とミックスバス２のペア設定のオンオフを切り替えるスイッチである。ペア設定がオンのときには、スイッチ４４により、パン３５´の２つの出力がミックスバス１とミックスバス２にそれぞれ接続される（図３に示す状態）。一方、ペア設定がオフのときは、スイッチ４４は、ミックスバス１に対応するセンドレベル調整部３６の出力をミックスバス１に接続し、ミックスバス２に対応するセンドレベル調整部３６の出力をミックスバス２に接続する。なお、或る２つのミックスバス３７をペアに設定することは、該２つのミックスバス３７に対応する２つのミックスｃｈ３９をペアに組むことと同義である。
【００３４】
ミックスバス３７は、入力ｃｈ３３から入力された複数のオーディオ信号を混合し、該混合結果を後段のミックスｃｈ３９へ出力する。ミックスｃｈ３９は、複数のミックスバス３７の各々に１対１で対応して複数本（図の例ではチャンネル番号ｃｈ１〜ｃｈ１６の１６本）設けられている。なお、図３において、ミックスバス３４とミックスｃｈの対応関係が明示されるよう、対応するミックスバス３４とミックスｃｈ３６ではバス番号とチャンネル番号に同じ番号が付与されている。また、ステレオバス３８は、入力ｃｈ３３から入力された複数のオーディオ信号を混合してステレオｃｈ４０に出力する。ステレオｃｈ４０には、ステレオバスＬとステレオバスＲの２本のステレオバス３８の各々に対応する２系統のチャンネル（ステレオＬとステレオＲ）がある。
【００３５】
ミックスｃｈ３９及びステレオｃｈ４０は、コンプレッサ、イコライザ或いは音量レベルなど各種信号処理パラメータを具備しており、対応するミックスバス３７乃至ステレオバス３８から出力されたオーディオ信号に対して、当該チャンネルのパラメータ設定に基づく各種信号処理を施す。出力パッチ４１は、各ミックスｃｈ３９及びステレオｃｈ４０の出力を後段の複数の出力ポート（複数のアナログ出力ポート４２又は複数のディジタル出力ポート４３）のいずれかに選択的に接続する。すなわち出力パッチ４１は１つの出力ポート４２又は４３に対して１つのミックスｃｈ３９乃至ステレオｃｈ４０をパッチする。かくして、出力ポート４２又は４３からは、信号処理部５（入力ｃｈ３３、ミックスバス３７、ステレオバス３８、ミックスｃｈ３９及びステレオｃｈ４０）で実行された信号処理結果のオーディオ信号が出力される。
【００３６】
前記図３において、各入力ｃｈ３３に含まれるアッテネータ３４、音量レベル、パン３５（パン３５´）及びセンドレベル３６の各パラメータは、図２を参照して説明した操作パネルのインプットセクション１１のフェーダ又はエンコーダに割り当てられるパラメータである。フェーダ及びエンコーダに対して割り当てるパラメータの種類（機能）は、エンコーダモードの設定値とフリップ機能の設定値の組み合わせに応じて決定される。図４は、エンコーダモードの設定値とフリップ機能の設定値の組み合わせに応じたフェーダ及びエンコーダに対して割り当てるパラメータの種類を示す表である。なお、エンコーダモードの設定値は、エンコーダモードセクション１２において選択されたエンコーダに割り当てるパラメータ種類を表す情報としては、前述の通り、ミックスセンドモード、パンモード、アッテネータモードの３種類の値がある。なお、後述の通り、フリップ機能の作用による一時的な状態として、エンコーダモードの設定値に「音量レベル」がセットされることがあるので、エンコーダモードを、現在エンコーダに割り当てられるパラメータ種類を表す情報と定義すれば、上記３種類に「音量レベル」を加えた４種類である。また、フリップ機能の設定値には、「フリップ機能」のオンとオフの２種類の値がある。
【００３７】
フリップ機能が「オフ」の場合は、図４に示す通り、各フェーダには、当該入力ｃｈ３３の音量レベルのパラメータが割り当てられる。また、各エンコーダには、エンコーダモードの設定値がセンドレベルであれば、当該入力ｃｈ３３からミックスセンドセレクトキーによって選択されているミックスｃｈ３９（現在選択されているミックスｃｈ）へのセンドレベルが割り当てられ、また、同設定値がパンであれば当該入力ｃｈ３３からステレオバス３８（図３参照）へのパンが、また、同設定値がアッテネータ（ＡＴＴ）であれば当該入力ｃｈ３３のアッテネータが、それぞれ割り当てられる。
【００３８】
また、図４に示す通り、フリップ機能が「オン」の場合には、各フェーダには当該入力ｃｈ３３から現在選択されているミックスｃｈ３９へのセンドレベルのパラメータが割り当てられる。このように、フェーダに割り当てるパラメータを、音量レベルからセンドレベルへ入れ替えることが、フリップ機能の主たる目的である。
【００３９】
更に、図４に示す通り、フリップ機能が「オン」の場合、各エンコーダには、エンコーダモードの設定値がセンドレベルであれば当該入力ｃｈ３３の音量レベルのパラメータが割り当てられる。また、エンコーダモードの設定値がアッテネータ（ＡＴＴ）であれば当該入力ｃｈ３３のアッテネータのパラメータが各エンコーダに割り当てられる。このことは、請求項１に記載の「選択手段により選択されているパラメータがセンドレベル以外である場合には、該選択手段により選択されているものと同じパラメータ」を「第２の操作子に割り当てる」ことに相当する。また、エンコーダモードの設定値がパンのときには、現在選択されているミックスｃｈ３９（直前のミックスセンドモードにおいて選択されたミックスｃｈ）が別のミックスｃｈ３９とペアに組まれている場合に限り、当該入力ｃｈ３３から該選択されているミックスｃｈ３９へのパンが各エンコーダに割り当てられ、該ミックスｃｈ３９がペア設定されていない場合は、各エンコーダには何れのパラメータも割り当てない（エンコーダを無効）。このことは、請求項１に記載の「選択手段により選択されているパラメータがセンドレベル以外である場合には、該選択手段により選択されているもの」と「類似したパラメータ」を「第２の操作子に割り当てる」ことに相当する。このように、この実施例においては、エンコーダに割り当てられたパラメータがセンドレベル以外のパラメータ（パンやアッテネータ）の場合に、フリップ機能が「オン」にセットされたときには、エンコーダモードの設定値（つまり、操作者が意図するパラメータ割り当て状態）を考慮したパラメータ割り当て制御が行われる。
【００４０】
図５は、フリップキーの操作に応じてＣＰＵ１が実行するフリップ機能の設定値変更処理の手順の一例を示すフローチャートである。操作者は、エンコーダモードセクション１２のフリップキーを操作することで、カレントバッファに格納されたフリップ機能の設定値を変更することができる。操作者のキー操作に応じたフリップ機能の設定値の変更指示が検出されると、図５の処理が起動する。ステップＳ１において、カレントバッファに格納されたフリップ機能の設定値が更新される。既に述べた通り、フリップ機能の設定値は、オンとオフの２種類である。従って、該設定値は、操作者のフリップキー操作に応じて、オンからオフへ、又は、オフからオンへ切り替わる。
【００４１】
前記更新後のフリップ機能の設定値が「オン」であれば（ステップＳ２のＹＥＳ）、カレントバッファに格納されたエンコーダモードの設定値を確認し（ステップＳ３）、インプットセクション１１の各フェーダと各エンコーダに割り当てるパラメータを、前記確認したエンコーダモードの現在設定値に応じて、フリップ機能がオンの場合の割り当て態様で、変更する処理が実行される（ステップＳ４）。エンコーダモードの設定値毎のパラメータ割り当て動作は、後述図６（ａ），図７（ａ）及び図８（ａ）を参照して説明する。
【００４２】
また、前記更新後のフリップ機能の設定値が「オフ」であれば（ステップＳ２のＮＯ）、カレントバッファに格納されたエンコーダモードの設定値を確認し（ステッＳ５）、インプットセクション１１の各フェーダと各エンコーダに割り当てるパラメータを、該確認したエンコーダモードの現在設定値に応じて、フリップ機能がオフの場合の割り当て態様で、変更する処理が実行される（ステップＳ６）。エンコーダモードの設定値に応じたパラメータ割り当て動作は、後述図６（ｂ），図７（ｂ）及び図８（ｂ）を参照して説明する。
【００４３】
前記図５のステップＳ４又はＳ６において、エンコーダモードの設定値がミックスセンドモードの場合、図６（ａ）又は（ｂ）に示すパラメータ割り当て変更処理が実行される。図６（ａ）はフリップ機能がオンの場合のパラメータ割り当て変更処理、また、図６（ｂ）はフリップ機能がオフの場合のパラメータ割り当て変更処理の手順の一例を、それぞれ示すフローチャットである。
【００４４】
フリップ機能がオンの場合は、図６（ａ）に示す通り、ステップＳ７において、カレントバッファに格納されているエンコーダモードの設定値をミックスセンドモードから音量レベルへ書き換えることで、各入力ｃｈ３３のエンコーダに割り当てるパラメータをセンドレベルから音量レベルへ切り替える。従って、各入力ｃｈ３３のエンコーダは、当該入力ｃｈ３３の音量レベルを調整する操作子として機能するようになる。
【００４５】
また、ステップＳ８において、カレントバッファに格納されているフェーダに割り当てられているパラメータ種類を表す値を、音量レベルからミックスセンドへ書き換えることで、各フェーダに割り当てるパラメータを音量レベルからセンドレベルへ切り替える。ここで、各フェーダに割り当てられたセンドレベルは、当該入力ｃｈ３３からミックスセンドセレクトキーにより選択されているミックスｃｈ３９（ミックスセンドセレクトの現在の設定値）へ送出するオーディオ信号のセンドレベルである。これにより、各入力ｃｈ３３のフェーダは、当該入力ｃｈ３３からミックスセンドセレクトキーにより選択されているミックスｃｈ３９へのセンドレベルを調整する操作子として機能するようになる。
【００４６】
一方、フリップ機能の設定値がオフの場合、図６（ｂ）に示す通り、ステップＳ９において、カレントバッファに格納されているエンコーダモードの設定値を、音量レベルモードからミックスセンドモードへ書き換えることで、各エンコーダに割り当てるパラメータを音量レベルからセンドレベルへ切り替える。ここで、各エンコーダに割り当てられるセンドレベルは、当該入力ｃｈ３３からミックスセンドセレクトキーにより選択されているミックスｃｈ３９（ミックスセンドセレクトの現在の設定値）へ送出するオーディオ信号のセンドレベルである。これにより、各入力ｃｈ３３のエンコーダは、当該入力ｃｈ３３からミックスセンドセレクトキーにより選択されているミックスｃｈ３９へのセンドレベルを調整する操作子として機能するようになる。
【００４７】
また、ステップＳ１０において、カレントバッファに格納されているフェーダに割り当てられているパラメータ種類を表す値を、ミックスセンドから音量レベルへ書き換えることで、各フェーダに割り当てるパラメータを音量レベルからセンドレベルへ切り替える。これにより、各入力ｃｈ３３のフェーダは、当該入力ｃｈ３３の音量レベルを調整する操作子として機能するようになる。
【００４８】
また、前記図５のステップＳ４又はＳ６において、エンコーダモードの設定値がパンモードの場合、図７（ａ）又は（ｂ）に示すパラメータ割り当て変更処理が実行される。図７（ａ）はフリップ機能がオンの場合のパラメータ割り当て変更処理、また、図７（ｂ）はフリップ機能がオフの場合のパラメータ割り当て変更処理の手順の一例を、それぞれ示すフローチャットである。
【００４９】
フリップ機能がオンの場合は、図７（ａ）に示す通り、ステップＳ１１において、カレントバッファに格納されているミックスセンドセレクトの設定値（選択されているミックスｃｈ３９のチャンネル番号）を読み出し、該読み出したチャンネル番号のミックスｃｈ３９についてカレントバッファに格納されているペア設定の設定値を読み出すことで、当該ミックスｃｈ３９がペアに組まれているかどうかを調べる。前記ペア設定の設定値は、或るミックスｃｈ３９のペア設定をオン・オフの２値で表すデータである。該読み出したペア設定値がオンであれば、当該ミックスｃｈ３９はチャンネル番号が隣接するミックスｃｈ３９とペアに組まれている。
【００５０】
現在選択されているミックスｃｈ３９が他のミックスｃｈ３９とペアに組まれていれば（ステップＳ１２のＹＥＳ）、ステップＳ１３において、カレントバッファに格納されているエンコーダモードの設定値（パンモードの種類）を、ステレオｃｈ４０へのパンからミックスｃｈ３９へのパンへ書き換えることで、各エンコーダに割り当てるパラメータを、ステレオｃｈ４０へのパンから、該ペアに組まれたミックスｃｈ３９へのパンへ切り替える。これにより、各入力ｃｈ３３のエンコーダは、当該入力ｃｈ３３から前記ペアに組まれたミックスｃｈ３９へのパンを調整する操作子として機能するようになる。
【００５１】
一方、当該ミックスｃｈ３９が他のミックスｃｈ３９とペアに組まれていなければ（ステップＳ１２のＮＯ）、ステップＳ１４においてエンコーダモードの設定値を無効にする。すなわち、エンコーダには、いずれのパラメータも割り当てずに、空にしておく。従って、エンコーダではいずれのパラメータも調整できない。
【００５２】
そして、ステップＳ１５において、前記図６（ａ）のステップＳ８と同様に、フェーダに割り当てるパラメータを音量レベルからセンドレベルへ切り替えることで、各入力ｃｈ３３のフェーダは、当該入力ｃｈ３３から前記選択されているミックスｃｈ３９へのセンドレベルを調整する操作子として機能するようになる。
【００５３】
一方、フリップ機能がオフの場合は、図７（ｂ）に示す通り、ステップＳ１６において、カレントバッファに格納されているエンコーダモードの設定値（パンモードの種類）を、ミックスｃｈ３９へのパンからステレオｃｈ４０へのパンへ書き換えることで、各エンコーダに割り当てるパラメータを、ペアに組まれたミックスｃｈ３９へのパンからステレオｃｈ４０へのパンへ切り替える。これにより、各入力ｃｈ３３のエンコーダは、当該入力ｃｈ３３からステレオｃｈ４０へのパンを調整する操作子として機能するようになる。そして、ステップＳ１７において、前記図６（ｂ）のステップＳ１０と同様に、フェーダに割り当てるパラメータをセンドレベルから音量レベルへ切り替える。これにより、各入力ｃｈ３３のフェーダは、当該入力ｃｈ３３から前記選択されているミックスｃｈ３９へのセンドレベルを調整する操作子として機能するようになる。
【００５４】
また、前記図５のステップＳ４又はＳ６において、エンコーダモードの設定値がアッテネータモードの場合、図８（ａ）又は（ｂ）に示すパラメータ割り当て変更処理が実行される。図８（ａ）は、フリップ機能がオンの場合のパラメータ割り当て変更処理、また、図８（ｂ）は、フリップ機能がオフの場合のパラメータ割り当て変更処理の手順の一例を、それぞれ示すフローチャットである。
【００５５】
フリップ機能がオンの場合は、図８（ａ）に示す通り、ステップＳ１７において、前記図６（ａ）のステップＳ８と同様に、フェーダに割り当てるパラメータを音量レベルからセンドレベルへ切り替える。これにより、各入力ｃｈ３３のフェーダは、当該入力ｃｈ３３から前記選択されているミックスｃｈ３９へのセンドレベルの調整する操作子として機能するようになる。一方、フリップ機能がオフの場合は、図８（ｂ）に示す通り、ステップＳ１８において、前記図６（ｂ）のステップＳ１０と同様に、フェーダに割り当てるパラメータをセンドレベルから音量レベルへ切り替える。これにより、各入力ｃｈ３３のフェーダは、当該入力ｃｈ３３から前記選択されているミックスｃｈ３９へのセンドレベルを調整する操作子として機能するようになる。つまり、エンコーダモードの設定値がアッテネータモードのときには、エンコーダに割り当てられるパラメータは、フリップ機能のオン・オフいずれの場合も、アッテネータのまま変更されない。すなわち、フリップ機能の設定値が変更されても、エンコーダモードの設定値はアッテネータモードのままである。
【００５６】
上記図６〜図８のフローチャートにおいて、図６（ａ）のステップＳ７、ステップＳ８、図７（ａ）のステップＳ１５及び図８（ａ）のステップＳ１７の処理が、請求項１に記載の「パラメータ割り当て制御手段」の動作に相当する。また、図７（ａ）のステップＳ１２，Ｓ１３及びＳ１４と、図８（ａ）とは、請求項２に記載の「パラメータ割り当て制御手段」の動作に相当する。また、図６（ｂ）、図７（ｂ）及び図８（ｂ）の処理は、それぞれ、請求項３に記載の「パラメータ割り当て制御手段」の動作に相当する。
【００５７】
また、操作者は、エンコーダモードセクション１２において、複数のミックスセンドセレクトキーの何れかを操作することで、エンコーダに割り当てるパラメータ種類をセンドレベルに切り替えると共に、該操作したキーに該当するミックスｃｈ３９を制御対象に選択することができる。すなわち、いずれかのミックスセンドセレクトキーが操作されると、カレントバッファに格納されたエンコーダモードの設定値をミックスセンドモードに書き換える処理が実行されると共に、カレントバッファに格納されたミックスセンドセレクトの設定値を今回操作されたキーに該当するミックスｃｈ３９のチャンネル番号に書き換える処理が実行される。そして、現在のフリップ機能の設定値に応じて、ミックスセンドモードのときのパラメータ割り当て変更処理（フリップ機能オンの場合は前記図６（ａ）の処理、同オフの場合は前記図６（ｂ）の処理）を行うことで、インプットセクション１１の各フェーダ及び各エンコーダに対するパラメータの割り当てを変更する。
【００５８】
また、操作者は、エンコーダモードセクション１２において、パンキーを操作することで、エンコーダに割り当てるパラメータ種類をパンに切り替えることができる。すなわち、パンキーが操作されると、カレントバッファに格納されたエンコーダモードの設定値をパンモードに書き換える処理が実行される。そして、現在のフリップ機能の設定値に応じて、パンモードのときのパラメータ割り当て変更処理（フリップ機能オンの場合は前記図７（ａ）の処理、同オフの場合は前記図７（ｂ）の処理、）を行うことで、インプットセクション１１の各フェーダ及び各エンコーダに対するパラメータの割り当てを変更する。
【００５９】
また、操作者は、エンコーダモードセクション１２において、アッテネータキーを操作することで、エンコーダに割り当てるパラメータをアッテネータに切り替えることができる。すなわち、アッテネータキーが操作されると、カレントバッファに格納されたエンコーダモードの設定値をアッテネータモードに書き換える処理が実行される。そして、現在のフリップ機能の設定値に応じて、アッテネータモードのときのパラメータ割り当て変更処理（フリップ機能オンの場合は前記図８（ａ）の処理、同オフの場合は前記図８（ｂ）の処理、）を行うことで、インプットセクション１１の各フェーダ及び各エンコーダに対するパラメータの割り当てを変更する。
【００６０】
最後に、インプットセクション１１においてエンコーダ又はフェーダが操作されたときの動作について簡単に説明する。操作者は、或るチャンネルストリップのエンコーダを操作することで、当該エンコーダに現在割り当てられているパラメータを操作することができる。エンコーダが操作されると、該エンコーダの操作量がＣＰＵ１により検出される。次いで、該操作されたエンコーダに現在割り当てられているパラメータをカレントバッファから読み出し、該読み出したパラメータの設定値（操作値）を前記検出した操作量に応じて変更する処理が行われる。該変更されたカレントメモリの内容は、信号処理部（ＤＳＰ）５による信号処理に反映される。なお、ここで、パラメータの設定値が変更されるのは、前記操作されたエンコーダに該当するチャンネルのパラメータだけである。
【００６１】
また、操作者は、或るチャンネルストリップのフェーダを操作することで、当該エンコーダに現在割り当てられているパラメータを操作することができる。フェーダが操作されると、該フェーダの操作量がＣＰＵ１により検出される。次いで、該操作されたフェーダに現在割り当てられているパラメータをカレントバッファから読み出し、該読み出したパラメータの設定値（操作値）を前記検出した操作量に応じて変更する処理が行われる。該変更されたカレントメモリの内容は、信号処理部（ＤＳＰ）５による信号処理に反映される。なお、ここでも、パラメータの設定値が変更されるのは、前記操作されたフェーダに該当するチャンネルのパラメータだけである。
【００６２】
なお、上記実施例において、フリップキーの操作や、エンコーダモードセクション１２のミックスセンドセレクトキー、パンキー又はアッテネータキーの操作によって、フェーダ及び／又はエンコーダに割り当てるパラメータが変更されたときには、該変更されたパラメータの現在の設定値（操作値）がフェーダ及び／又はエンコーダに反映されるよう構成してよい。例えば、フェーダに割り当てられたパラメータがセンドレベルに変更されたときには、該割り当てられたセンドレベルの現在の設定値に応じてフェーダのつまみ部の操作位置を自動制御してよい。また、エンコーダについては、例えば、パラメータの現在設定値を表す表示部（例えばＬＥＤ発光素子）をエンコーダの近傍に設け、パラメータ変更に応じて該表示部の表示を更新してよい。
【００６３】
以上説明した通り、この実施例によれば、フリップ機能のオン・オフに応じて、各フェーダに割り当てられたパラメータを音量レベルとセンドレベルとで入れ替えることを必須動作として上で、エンコーダモードの設定値（つまり、操作者が意図するパラメータ割り当て状態）を考慮したパラメータ割り当て制御が行われる。すなわち、（１）エンコーダモードの設定値がミックスセンドモードの場合、フリップ機能がオンに設定されると、各エンコーダには当該入力ｃｈ３３の音量レベルが割り当てられる。（２）エンコーダモードの設定値がパンモードの場合、フリップ機能がオンに設定されると、各エンコーダには現在選択中のミックスｃｈ３９がペアに組まれているものであれば、該ペアに組まれたミックスｃｈ３９へのパンが割り当てられ、現在選択中のミックスｃｈ３９がペアに組まれていない場合にはパラメータ割り当てを空にしておく。（３）エンコーダモードの設定値がアッテネータモードの場合、フリップ機能がオンに設定されても、エンコーダに割り当てるパラメータはアッテネータのまま変更されない。従って、操作者の意図に沿ったフェーダ及びエンコーダに対するパラメータ割り当て状態を実現することができ、操作性が向上するという優れた効果を奏する。また、操作者の意図に沿ったパラメータ割り当て状態を実現することから、フリップ機能により各フェーダに割り当てられたパラメータを入れ替えたときでも、操作者はエンコーダとフェーダに現在割り当てられているパラメータを理解しやすくなる。従って、パラメータ誤操作等も起こりにくくなるであろう。
【００６４】
なお、上記実施例において、エンコーダに割り当て可能なパラメータ種類を、センドレベル、パン、アッテネータの３種類としたが、これに限らず、その他の適宜のパラメータを割り当てることができても良い。すなわち、エンコーダは、少なくともセンドレベルを含む２種類以上のパラメータのうちの１つを選択的に割り当て可能な操作子でさえあればよい。また、前記アッテネータキーは、アッテネータ又はゲインの何れかをエンコーダに割り当てるゲイン・アッテネータキーであってもよい。
【００６５】
また、上記実施例においては、エンコーダモードの設定値がパンモード乃至アッテネータモードの場合、フリップ機能がオンに設定されると、エンコーダモードの設定値（つまり、操作者が意図するパラメータ割り当て状態）を考慮したパラメータ割り当て制御を行っていた。これに対して、フリップ機能のオンにより「フェーダに割り当てられたパラメータを音量レベルとセンドレベルとで入れ替えること」のみに着目すれば、エンコーダモードの設定値がミックスセンドモード以外の場合にはエンコーダを無効としてしまう（パラメータを割り当てない）構成を採用してもよいであろう。この場合、少なくとも、操作者が意図しないパラメータがエンコーダに割り当てられてしまうことは回避できるので、エンコーダの誤操作を防止する効果はある。
【図面の簡単な説明】
【００６６】
【図１】この発明に係るディジタルミキシング装置の電気的ハードウェア構成の一例を示すブロック図。
【図２】図１に示すミキサの操作パネル構成例を説明するためのブロック図。
【図３】図１に示す信号処理部が実行するミキシング処理のアルゴリズムの一例を説明するためのブロック図。
【図４】フェーダ及びエンコーダに対して割り当てるパラメータの種類を示す表。
【図５】フリップ機能の設定値変更処理の一例を示すフローチャート。
【図６】エンコーダモードの設定値がミックスセンドモードの場合のパラメータ割り当て変更処理の一例を示すフローチャートであって、（ａ）はフリップ機能がオンの場合、（ｂ）はフリップ機能がオフの場合。
【図７】エンコーダモードの設定値がパンモードの場合のパラメータ割り当て変更処理の一例を示すフローチャートであって、（ａ）はフリップ機能がオンの場合、（ｂ）はフリップ機能がオフの場合。
【図８】エンコーダモードの設定値がアッテネータモードの場合のパラメータ割り当て変更処理の一例を示すフローチャートであって、（ａ）はフリップ機能がオンの場合、（ｂ）はフリップ機能がオフの場合。
【符号の説明】
【００６７】
１００  ミキサ、１  ＣＰＵ、２  フラッシュメモリ、３  ＲＯＭ、４  波形入出力インターフェース、５  信号処理部、６  レコーダ、７  表示器、８  電動フェーダ、９  操作子、１０  その他インターフェース、１１  インプットチャンネルセクション、１２  エンコーダモードセクション、３０  アナログ入力ポート、３１  ディジタル入力ポート、３２  入力パッチ、３３  入力チャンネル、３４  アッテネータ、３５  パン、３６  センドレベル調整部、３７  ミックスバス、３８  ステレオバス、３９  ミックスｃｈ、４０  ステレオチャンネル、４１  出力パッチ、４２  アナログ出力ポート、４３  ディジタル出力ポート
【図１】
2008219817.tif 000003
【図２】
2008219817.tif 000004
【図３】
2008219817.tif 000005
【図４】
2008219817.tif 000006
【図５】
2008219817.tif 000007
【図６】
2008219817.tif 000008
【図７】
2008219817.tif 000009
【図８】
2008219817.tif 000010